(57)【特許請求の範囲】
【請求項１】
外壁から突出して設けられる構造物本体を下方から支持する構造物本体支持装置であって、
前記外壁に固定される縦枠本体と、
この縦枠本体を介して前記外壁に固定される被固定部、および、この被固定部から突出し前記構造物本体を支持する構造物本体支持部を有する支持部と、
前記構造物本体支持部を貫通させる貫通孔を有し、前記縦枠本体を覆う縦枠カバーと、
止水性を有し前記構造物本体支持部と前記貫通孔との間に設けられた連結部と、を備え、
前記縦枠カバーが前記縦枠本体に対して移動可能に取り付けられている構造物本体支持装置。
【請求項２】
前記構造物本体支持部は、前記被固定部と一体的に形成され前記貫通孔から突出する支持突出部と、略筒状に形成され前記支持突出部を覆って固定されるとともに前記構造物本体を支持する支持筒状部と、を有し、
前記支持筒状部は、前記貫通孔の周縁に設けられた前記連結部を介して前記縦枠カバーに固定されている請求項１に記載の構造物本体支持装置。
【請求項３】
前記縦枠本体は、前記外壁に固定される略板状の縦枠基部と、この縦枠基部の見付け方向の両側縁から見込み方向外側に延びる一対の縦枠側面部と、により断面略コ字状に形成され、
前記縦枠カバーは、前記貫通孔を有し前記縦枠基部と対向する略板状のカバー基部と、このカバー基部の見付け方向の両側縁から見込み方向外壁側に延びる一対のカバー側面部と、により断面略コ字状に形成され、前記一対のカバー側面部が前記一対の縦枠側面部の外側に位置する状態で前記縦枠本体に対して摺動可能に取り付けられている請求項１または請求項２に記載の構造物本体支持装置。
【請求項４】
前記縦枠側面部は、見込み方向外側先端が前記カバー側面部の内面から離れる方向に屈曲している請求項３に記載の構造物本体支持装置。
【請求項５】
前記一対のカバー側面部および前記一対の縦枠側面部のうち一方は、他方に向かって突出し当該他方に点または線で接触する接触部を備えている請求項３または請求項４に記載の構造物本体支持装置。
【請求項６】
前記縦枠本体には、当該縦枠本体と前記縦枠カバーとで区画形成される縦枠中空部の上端を閉塞する上端キャップが設けられ、
この上端キャップは、前記縦枠中空部の上側において前記カバー基部の上端と隙間を介して対向する上端キャップ上面部と、この上端キャップ上面部の見付け方向の両側縁から下方に延び前記縦枠側面部に固定される上端キャップ側面部と、前記上端キャップ上面部の見込み方向の一側縁から下方に延び、前記カバー基部の外面と隙間を介して対向する上端キャップ前面部と、を有して構成されている請求項３から請求項５のいずれかに記載の構造物本体支持装置。
【請求項７】
前記縦枠本体には、当該縦枠本体と前記縦枠カバーとで区画形成される縦枠中空部の下端を閉塞する下端キャップが設けられ、
この下端キャップは、前記縦枠中空部の下側において前記カバー基部の下端と隙間を介して対向する下端キャップ下面部と、この下端キャップ下面部の見付け方向の両側縁から上方に延び前記縦枠側面部に固定される下端キャップ側面部と、を有して構成されている請求項３から請求項６のいずれかに記載の構造物本体支持装置。
【請求項８】
前記連結部は、樹脂材により形成されたシール材であり、前記構造物本体支持部と前記貫通孔周縁との間に挟み込まれている請求項１から請求項７のいずれかに記載の構造物本体支持装置。
【請求項９】
外壁から突出して設けられる構造物本体と、
この構造物本体を下方から支持する請求項１から請求項８のいずれかに記載の構造物本体支持装置と、を備えた構造物。
【請求項１０】
前記構造物本体は、屋根面材である請求項９に記載の構造物。
【発明の詳細な説明】
【技術分野】
【０００１】
本発明は、外壁から突出して設けられる構造物本体を下方から支持する構造物本体支持装置、および、この構造物本体支持装置を備えた構造物に関する。
【背景技術】
【０００２】
従来、外壁から突出して設けられる構造物本体を支持する構成が知られている（例えば、特許文献１参照）。
この特許文献１に記載のものは、妻梁を柱に取り付ける取付具を備えている。この取付具は、柱に結合されるベース部と、このベース部に溶接されたアーム部と、このアーム部が貫通挿入される中間部材と、を備えている。
そして、取付作業時には、ベース部を外装材で覆った後、両面粘着テープを設けた中間部材をアーム部に沿って移動させて外装材に貼り付ける。次に、中間部材と外装材とに跨ってシーリング材を塗布する。そして、妻梁をアーム部に嵌合挿入して、妻梁の先端を中間部材に当てて、中間部材を弾性圧縮させる。また、中間部材の内側におけるアーム部との間の隙間を、シーリング材で埋めることで妻梁が取り付けられるようになっている。
【０００３】
【特許文献１】特開２００２−２１１７７号公報
【発明の開示】
【発明が解決しようとする課題】
【０００４】
ところで、特許文献１では、構造物妻梁が撓み変形したときに、つまり傾いたときに、中間部材がこれに追従した弾性変形を行うと記載されている。しかし、中間部材の追従の限界以上に妻梁が傾いたときに、妻梁と中間部材との間に隙間が形成されるとともに、中間部材の内側のシーリング材が切れてしまい、雨水等がベース部に到達してしまうおそれがある。そして、ベース部に雨水が到達するとベース部が腐食して支持強度が低下する可能性や浸水した雨水が外壁内部に入り込む可能性がある。
【０００５】
本発明の目的は、支持強度を確保でき、かつ、外壁への水の浸入を確実に防止できる構造物本体支持装置、および、この構造物本体支持装置を備えた構造物に関する。
【課題を解決するための手段】
【０００６】
本発明の構造物本体支持装置は、外壁から突出して設けられる構造物本体を下方から支持する構造物本体支持装置であって、前記外壁に固定される縦枠本体と、この縦枠本体を介して前記外壁に固定される被固定部、および、この被固定部から突出し前記構造物本体を支持する構造物本体支持部を有する支持部と、前記構造物本体支持部を貫通させる貫通孔を有し、前記縦枠本体を覆う縦枠カバーと、止水性を有し前記構造物本体支持部と前記貫通孔との間に設けられた連結部と、を備え、前記縦枠カバーが前記縦枠本体に対して移動可能に取り付けられていることを特徴とする。
【０００７】
以上の本発明によれば、支持部に例えば下方への力が作用して構造物本体支持部が傾いた場合、連結部を変形させることなく、構造物本体支持部の傾きに追従するように縦枠カバーを縦枠本体に対して移動させることができる。また、構造物本体支持部の傾き量が大きくなったとしても、縦枠カバーの移動量が大きくなるだけで連結部が変形することがない。したがって、構造物本体支持部の傾きによらず連結部の破損を防止でき、雨水等により被固定部が腐食することなく構造物本体を確実に支持できる。さらに、被固定部や縦枠本体に雨水が達することがないため、外壁内部への水の浸入を確実に防止できる。
【０００８】
また、本発明の構造物本体支持装置では、前記構造物本体支持部は、前記被固定部と一体的に形成され前記貫通孔から突出する支持突出部と、略筒状に形成され前記支持突出部を覆って固定されるとともに前記構造物本体を支持する支持筒状部と、を有し、前記支持筒状部は、前記貫通孔の周縁に設けられた前記連結部を介して前記縦枠カバーに固定されている構成が好ましい。
このような発明によれば、被固定部とともに支持突出部を外壁に固定した後に、支持突出部を覆うように支持筒状部を固定することができ、支持部を容易に取り付けることができる。特に、外壁からの突出寸法が大きい構造物本体を支持する構成においては、長尺な支持筒状部を有する支持部を外壁に固定する作業は困難であるが、本発明を用いれば支持突出部を外壁に固定した後に、この支持突出部に長尺な支持筒状部を取り付けるだけでよいのでその作業が容易になる。
また、被固定部および支持突出部と、支持筒状部とで異なる材料を用いることができ、所望の性能を有する構造物本体支持装置を提供することができる。例えば、被固定部および支持突出部に鉄やステンレス鋼を用いることで、外壁への固定性能が向上し、耐久性を向上できる。また、支持筒状部にアルミを用いることで、外観を良くできる。
【０００９】
そして、本発明の構造物本体支持装置では、前記縦枠本体は、前記外壁に固定される略板状の縦枠基部と、この縦枠基部の見付け方向の両側縁から見込み方向外側に延びる一対の縦枠側面部と、により断面略コ字状に形成され、前記縦枠カバーは、前記貫通孔を有し前記縦枠基部と対向する略板状のカバー基部と、このカバー基部の見付け方向の両側縁から見込み方向外壁側に延びる一対のカバー側面部と、により断面略コ字状に形成され、前記一対のカバー側面部が前記一対の縦枠側面部の外側に位置する状態で前記縦枠本体に対して摺動可能に取り付けられている構成が好ましい。
このような発明によれば、縦枠本体を外壁に固定した後に、縦枠カバーを見込み方向から取り付けることができるので、容易にかつ効率よく構造物本体支持装置を外壁に取り付けることができる。特に、縦枠カバーを摺動させつつ縦枠本体に取り付けることにより、作業性を向上できる。なお、見込み方向外側とは、支持部の延出方向（外壁から離れる方向）のことである。
【００１０】
さらに、本発明の構造物本体支持装置では、前記縦枠側面部は、見込み方向外側先端が前記カバー側面部の内面から離れる方向に屈曲している構成が好ましい。
このような発明によれば、一対の縦枠側面部の見込み方向外側先端の間隔を、一対のカバー側面部の見込み方向内側（外壁に近づく方向）先端の間隔よりも小さくすることで、縦枠本体に対して縦枠カバーを容易に取り付けることができ、作業性を向上できる。また、縦枠側面部の見込み方向外側先端とカバー側面部との間に隙間が形成されるので、縦枠本体と縦枠カバーとの摺接部分等から雨水が浸入してきたとしても、この隙間から雨水を落下させて排水し易くすることができる。
【００１１】
また、本発明の構造物本体支持装置では、前記一対のカバー側面部および前記一対の縦枠側面部のうち一方は、他方に向かって突出し当該他方に点または線で接触する接触部を備えている構成が好ましい。
このような発明によれば、接触部を介してカバー側面部と縦枠側面部とを点または線で接触させることで、両者の接触面積を減らすことができる。したがって、両者を面で接触させる構成と比べて、縦枠カバーを縦枠本体に取り付けるときの摩擦抵抗を小さくすることができ、異音を発生させることなく容易に取り付けることができる。さらに、摩擦抵抗を小さくすることで縦枠カバーを摺動させ易くなり、構造物本体支持部が傾いたときに連結部に作用する力を低減させることができる。したがって、連結部の長寿命化を図ることができ、長期にわたり構造物本体を確実に支持できる。また、カバー側面部と縦枠側面部との間における接触部分以外の部分に隙間を形成することができ、この隙間から雨水を排水し易くすることができる。
【００１２】
そして、本発明の構造物本体支持装置では、前記縦枠本体には、当該縦枠本体と前記縦枠カバーとで区画形成される縦枠中空部の上端を閉塞する上端キャップが設けられ、この上端キャップは、前記縦枠中空部の上側において前記カバー基部の上端と隙間を介して対向する上端キャップ上面部と、この上端キャップ上面部の見付け方向の両側縁から下方に延び前記縦枠側面部に固定される上端キャップ側面部と、前記上端キャップ上面部の見込み方向の一側縁から下方に延び、前記カバー基部の外面と隙間を介して対向する上端キャップ前面部と、を有して構成されている構成が好ましい。
このような発明によれば、上端キャップ上面部とカバー基部とを隙間を介して対向させるとともに、上端キャップ前面部とカバー基部とを隙間を介して対向させるので、縦枠カバーが室外側に摺動したときに上端キャップと接触することがなくなる。したがって、縦枠カバーの摺動によらず、縦枠中空部の上方および室外側から雨水が浸入するのを確実に防止できる。
【００１３】
さらに、本発明の構造物本体支持装置では、前記縦枠本体には、当該縦枠本体と前記縦枠カバーとで区画形成される縦枠中空部の下端を閉塞する下端キャップが設けられ、この下端キャップは、前記縦枠中空部の下側において前記カバー基部の下端と隙間を介して対向する下端キャップ下面部と、この下端キャップ下面部の見付け方向の両側縁から上方に延び前記縦枠側面部に固定される下端キャップ側面部と、を有して構成されている構成が好ましい。
このような発明によれば、下端キャップ下面部とカバー基部とを隙間を介して対向させるので、縦枠カバーが摺動したとしても下端キャップと接触することがなくなる。したがって、縦枠カバーの摺動によらず縦枠中空部に下方から水等が浸入するのを確実に防止できる。また、利用者に下方から縦枠中空部が見られることがないので、構造物本体支持装置の意匠性を向上できる。
【００１４】
そして、本発明の構造物本体支持装置では、前記連結部は、樹脂材により形成されたシール材であり、前記構造物本体支持部と前記貫通孔周縁との間に挟み込まれている構成が好ましい。
このような発明によれば、連結部として一般的に安価でかつ成形が容易な樹脂材で形成されたシール材を適用しているので、低コスト化や製造性の向上を図ることができる。さらには、シール材を構造物本体支持部と貫通孔周縁との間に挟み込んでいるので、シール材を容易に設けることができる。
【００１５】
本発明の構造物は、外壁から突出して設けられる構造物本体と、この構造物本体を下方から支持する上述の構造物本体支持装置と、を備えたことを特徴とする。
また、本発明の構造物では、前記構造物本体は、屋根面材である構成が好ましい。
ここで、本発明の構造物本体としては、屋根面材の他、庇、バルコニー、階段、廊下等が例示できる。
これらのような発明によれば、上述の構造物本体支持装置と同様の作用効果を有する構造物を提供できる。
【発明を実施するための最良の形態】
【００１６】
以下に、本発明の実施形態を図面に基づいて説明する。
図１は、本発明の実施形態に係る屋根１を示す側面から見た縦断面図である。図２は、屋根１の要部を示す正面から見た縦断面図であり、図１に矢視II−II線で示す断面図である。図３は、屋根１の要部を示す横断面図であり、図２に矢視III−III線で示す断面図である。
【００１７】
図１および図２において、本発明の構造物としての屋根１は、外壁２の壁面（外壁面）２Ａから突出して片持ち状に設けられたものである。この屋根１は、外壁２に基端縁が固定されて先端縁が外壁２から離れかつ下方に傾斜して設けられる構造物本体としての屋根面材３と、外壁２に固定されて屋根面材３を支持する構造物本体支持装置としての屋根面材支持装置４と、を備えて構成されている。
屋根面材支持装置４は、縦枠本体５０と連結部材７０と縦枠カバー９０と連結部としての腕木シール材１１０と支持筒状部としての腕木１３０と上端キャップ１５０と下端キャップ１７０とを備えて構成されている。
縦枠本体５０は、アルミ形材製の部材であり、屋根面材３の基端縁よりも下側に延びるように設けられている。この縦枠本体５０は、図３にも示すように、外壁面２Ａに沿って設けられる長方形板状の縦枠基部５１と、この縦枠基部５１の見付け方向の両側縁（左右両側縁）から見込み方向の外方（外壁２から離れる方向）に延びる一対の縦枠側面部５２と、を有して断面略コ字状に形成されている。
一対の縦枠側面部５２は、見込み方向外側先端が互いに近接する方向（縦枠基部５１の左右方向中心側）に屈曲しており、この先端側の間隔が後述するカバー側面部９２の見込み方向内側先端の間隔よりも小さくなっている。また、一対の縦枠側面部５２における屈曲部分には、縦枠基部５１と対向して互いに接近する方向に延びる一対の対向片部５３が設けられている。この一対の対向片部５３の延出方向先端には、縦枠基部５１に向けて断面略半円状に突出する対向片突出部５４が上下方向に沿って設けられている。
【００１８】
連結部材７０は、縦枠本体５０を介して外壁２に固定されている。この連結部材７０は、縦枠基部５１に対向して設けられる被固定部７１と、この被固定部７１から突設されて腕木１３０と固定される支持突出部７２と、を有して全体略Ｔ字状に形成されている。ここで、支持突出部７２および腕木１３０により、本発明の構造物本体支持部が構成されている。また、この構造物本体支持部および被固定部７１により、本発明の支持部が構成されている。
被固定部７１は、鉄やステンレス鋼等の金属板材からなり、縦枠基部５１と対向片部５３との間に設けられている。また、被固定部７１は、５個のビス７３により縦枠基部５１を介して外壁２に固定され、２個のビス７４により外壁２に向かって左側の対向片部５３に固定されている。
支持突出部７２は、断面略コ字形の金属部材（チャンネル材）からなり、その基端部が被固定部７１に溶接固定されている。
【００１９】
次に、図４〜図８も参照して、詳しく説明する。
図４は、上端キャップ１５０の構成および取付状態を示す斜視図である。図５は、下端キャップ１７０の構成および取付状態を示す斜視図である。図６は、縦枠本体５０と縦枠カバー９０の取付状態を示す部分拡大断面図である。図７は、上端キャップ１５０の取付状態を示す縦断面図である。図８は、下端キャップ１７０の取付状態を示す縦断面図である。
【００２０】
縦枠カバー９０は、アルミ形材製の部材であり、縦枠本体５０に摺動可能に取り付けられている。また、縦枠カバー９０は、図４および図５に示すように、上下方向の寸法が縦枠本体５０よりも小さく形成されている。具体的には、縦枠カバー９０は、縦枠本体５０に取り付けられた際に、上端が縦枠本体５０の縦枠側面部５２に設けられた丸形状の上取付孔５５の下方に位置し、下端が縦枠側面部５２に設けられた下取付孔５６の上方に位置する形状を有している。この縦枠カバー９０は、縦枠本体５０の縦枠基部５１に対向するように設けられたカバー基部９１と、このカバー基部９１の左右両端縁から見込み方向の内方（外壁２に近づく方向）に延びる一対のカバー側面部９２と、を有して断面略コ字状に形成されている。
カバー基部９１における連結部材７０の支持突出部７２と対応した位置には、支持突出部７２を貫通させる略長方形状の貫通孔９３が設けられている。
一対のカバー側面部９２の見込み方向内側先端には、図６に示すように、互いに近接する方向（カバー基部９１の左右方向中心側）に向けて断面略半円状に突出するカバー接触部９４が上下方向に沿って設けられている。
そして、縦枠カバー９０は、カバー側面部９２が縦枠側面部５２の外側に位置し、カバー接触部９４が縦枠側面部５２に線接触する状態で縦枠本体５０に摺動可能に取り付けられる。この取り付けにより、図４および図５に示すように、縦枠本体５０と縦枠カバー９０とで縦枠中空部９５が区画形成される。
【００２１】
腕木シール材１１０は、例えば樹脂材により略四角枠状に形成された部材である。
腕木１３０は、図１〜図３に示すように、アルミ形材製の角筒中空状に形成された部材である。この腕木１３０の内部における上縁および下縁の左右両端側には、ビスホール１３１が設けられている。そして、腕木１３０は、一端側（外壁側）が腕木シール材１１０を介して縦枠カバー９０のカバー基部９１に当接されるとともに、ビスホール１３１に螺合されたビス１３２でカバー基部９１に固定されている。さらに、腕木１３０は、一端側が連結部材７０の支持突出部７２にビス１３３で固定されている。そして、腕木１３０の他端側の上面には、屋根面材３の先端側が固定されている。また、腕木１３０の他端側の端部には、端部キャップ１３４が取り付けられており、腕木１３０内部への雨水等の浸入が防止されている。
【００２２】
上端キャップ１５０は、例えば樹脂材により形成された部材であり、図４および図７に示すように、縦枠中空部９５の上端を閉塞する。この上端キャップ１５０は、カバー基部９１の外面と隙間Ｓ１を介して対向する長方形板状の上端キャップ前面部１５１を備えている。この上端キャップ前面部１５１の上縁には、縦枠中空部９５の上側においてカバー基部９１の上端と隙間Ｓ２を介して対向する上端キャップ上面部１５２が一連に設けられている。この上端キャップ上面部１５２は、それぞれ断面略Ｌ字状の第１の上面構成部１５３と、第２の上面構成部１５４とにより、縦枠基部５１に近づく階段状に形成されている。
また、上端キャップ前面部１５１および上端キャップ上面部１５２の見付け方向の両側縁（左右両側縁）には、縦枠基部５１に近づく方向に延びて縦枠側面部５２の外面に固定される上端キャップ側面部１５５が一連に設けられている。
この上端キャップ側面部１５５の上端側には、縦枠側面部５２の上取付孔５５に着脱可能に係合する上取付突部１５６が設けられている。この上取付突部１５６は、半円の直線部分が縦枠基部５１側に位置する状態で半円柱状に突出する半円柱部と、この半円柱部の直線部分から縦枠基部５１に近づくにしたがって突出寸法が小さくなるように傾斜する傾斜部と、を備えている。
さらに、上端キャップ側面部１５５の外面には、外方に向けて突出するつまみ部１５７が設けられている。このつまみ部１５７は、縦枠基部５１側から上下方向に延びる直線部分と、この直線部分の上端から上端キャップ前面部１５１側に延びる直線部分とにより、略Ｌ字状に形成されている。
そして、図７に示すように、つまみ部１５７と第２の上面構成部１５４と屋根面材３とで略区画形成されるシーリングポケット１６０には上端シール材１６５が充填され、上端キャップ１５０と、屋根面材３との間から縦枠中空部９５内部への雨水等の浸入が防止されている。
【００２３】
下端キャップ１７０は、例えば樹脂材により形成された部材であり、図５および図８に示すように縦枠中空部９５の下端を略閉塞する。この下端キャップ１７０は、縦枠中空部９５の下側においてカバー基部９１の下端と隙間Ｓ３を介して対向する下端キャップ下面部１７１を備えている。この下端キャップ下面部１７１の見付け方向の両側縁には、上方に延びて縦枠側面部５２の外面に固定される下端キャップ側面部１７２が一連に設けられている。
この下端キャップ側面部１７２の上下方向略中央には、縦枠側面部５２の下取付孔５６に着脱可能に係合する下取付突部１７３が設けられている。この下取付突部１７３は、それぞれ上端キャップ１５０の半円柱部および傾斜部と略等しい形状の半円柱部および傾斜部を備えている。
さらに、下端キャップ下面部１７１のカバー基部９１側の側縁には、カバー基部９１の下端に向けて延びる下端キャップ前面部１７４が設けられている。この下端キャップ前面部１７４とカバー基部９１との間には隙間Ｓ４が形成されている。
また、下端キャップ下面部１７１における下端キャップ側面部１７２側、かつ、見込み方向略中央には、長方形状の排水孔１７５が設けられている。例えば縦枠中空部９５内に雨水等が浸入した場合でも、この排水孔１７５から下方へ雨水が排出され、縦枠中空部９５内に雨水が溜まらないようになっている。また、排水孔１７５は、外壁２から離れた位置に設けられることになり、外壁２近傍に設ける構成と比べて外壁２に水が流れにくくなっている。
【００２４】
次に、屋根面材支持装置４の外壁２への取付手順を説明する。
まず、縦枠本体５０内部に連結部材７０の被固定部７１を挿入する。そして、縦枠本体５０と被固定部７１とをビス７４で固定して、さらに両者をビス７３で外壁２に固定する。
一方、縦枠本体５０および連結部材７０の取り付けとは別に、縦枠カバー９０と、腕木１３０とを組み立てておく。すなわち、縦枠カバー９０の貫通孔９３の周縁に沿って、腕木シール材１１０を設ける。そして、この腕木シール材１１０を腕木１３０に当接させた状態で、縦枠カバー９０の内側からビス１３２を腕木１３０のビスホール１３１に螺合させて、縦枠カバー９０に腕木１３０を固定する。
次に、組み立てた縦枠カバー９０および腕木１３０を、前述のように外壁２に固定した縦枠本体５０に固定する。具体的には、縦枠カバー９０の貫通孔９３を介して腕木１３０の中空内部に連結部材７０の支持突出部７２を挿入し、縦枠本体５０を覆うように縦枠カバー９０を取り付ける。このとき、縦枠カバー９０は、カバー接触部９４と縦枠側面部５２とが線接触した状態で、縦枠本体５０に摺動可能に取り付けられる。
そして、腕木１３０の上面および下面をビス１３３で連結部材７０の支持突出部７２に固定する。
次に、上端キャップ１５０を縦枠本体５０に取り付ける。具体的には、上端キャップ１５０を見込み方向に移動させて、上取付突部１５６と縦枠側面部５２との接触部分を、傾斜部から半円柱部へ移動させて上端キャップ側面部１５５を外側に弾性変形させる。そして、半円柱部を上取付孔５５に係合させる。また、下端キャップ１７０を上端キャップ１５０と同様にして縦枠本体５０に取り付ける。
【００２５】
また、屋根面材３の外壁２への固定作業としては、以下の手順が例示できる。すなわち、屋根面材支持装置４の取り付け前に、屋根面材３の上枠材をビス３１Ａで外壁２に固定する。そして、屋根面材支持装置４の取り付け後に、屋根面材３の残りの部分を上枠材に取り付けるとともに、屋根面材３の先端側を腕木１３０の他端側に固定する。この後、腕木１３０の他端部に端部キャップ１３４を取り付け、さらにシーリングポケット１６０に上端シール材１６５を充填して屋根１の取付作業を完了させる。
なお、屋根面材支持装置４の取り付け前、あるいは取り付け後に、屋根面材３全体を外壁２に固定してもよい。さらに、上述の取付手順に限られず、例えば縦枠カバー９０に腕木１３０を取り付ける工程と屋根面材３を取り付ける工程とを同時に実施してもよい。すなわち、屋根面材３と複数の腕木１３０とを予め固定しておき、組み立てた状態の屋根面材３および腕木１３０をそれぞれ外壁２および外壁２に固定した縦枠カバー９０に取り付けるような取付手順も採用可能である。
【００２６】
次に、図９および図１０に基づいて、腕木１３０が傾いたときの屋根１の作用について説明する。なお、図９および図１０では、屋根１の要部のみを図示し、さらに作用を理解し易くするために各構成を誇張して示す。
図９に示すように、腕木１３０が傾いていない状態では、縦枠基部５１とカバー基部９１とが略平行となる状態で縦枠カバー９０が縦枠本体５０に摺動可能に取り付けられている。また、カバー基部９１と上端キャップ１５０および下端キャップ１７０との間には、隙間Ｓ１〜Ｓ４が形成されている。
そして、腕木１３０に矢印Ｆの方向への外力が作用すると、図１０に示すような状態に移行する。
すなわち、まず、先端側が下方に移動するように腕木１３０が傾く。このとき、縦枠カバー９０は縦枠本体５０に固定されていないので、腕木シール材１１０を変形させることなく腕木１３０の傾きに追従するように縦枠本体５０に対して摺動する。そして、縦枠基部５１とカバー基部９１とが鋭角をなす状態となる。また、縦枠カバー９０と上端キャップ１５０および下端キャップ１７０との間に隙間Ｓ１〜Ｓ４が形成されているため、縦枠カバー９０は上端キャップ１５０等に妨げられることなく摺動する。
【００２７】
このような実施形態によれば、以下のような効果がある。
（１）腕木１３０および腕木シール材１１０が取り付けられた縦枠カバー９０を、縦枠本体５０に対して摺動可能に取り付けている。このため、腕木１３０が傾いた場合であっても腕木シール材１１０を変形させることなく、腕木１３０の傾きに追従するように縦枠カバー９０を縦枠本体５０に対して摺動させることができ、腕木１３０の傾き量が大きくなったとしても縦枠カバー９０の摺動量が大きくなるだけで腕木シール材１１０が変形することがない。したがって、腕木１３０の傾きによらず腕木シール材１１０の破損を防止でき、雨水により連結部材７０の被固定部７１が腐食することなく屋根面材３を確実に支持できる。さらに、被固定部７１や縦枠本体５０に雨水が達することがないため、外壁２内部への水の浸入を確実に防止できる。
【００２８】
（２）本発明の支持部を、被固定部７１と一体的に形成された支持突出部７２と、この支持突出部７２と別体の腕木１３０と、で構成している。このため、連結部材７０を外壁２に固定した後に腕木１３０を取り付けることができ、本発明の支持部を容易に取り付けることができる。特に、本実施形態では、外壁２からの突出寸法が大きい屋根面材３を支持しているので、長尺な腕木１３０を外壁２に固定する作業をする必要がなく、腕木１３０を容易に取り付けることができる。また、連結部材７０を鉄などで構成しているので、外壁２への固定性能が向上し、耐久性を向上できる。さらに、腕木１３０にアルミを用いているので、外観を良くできる。
【００２９】
（３）縦枠本体５０および縦枠カバー９０を断面略コ字状に形成している。このため、縦枠本体５０を外壁２に固定した後に、縦枠カバー９０を見込み方向から取り付けることができ、容易にかつ効率よく屋根面材支持装置４を外壁２に取り付けることができる。特に、縦枠カバー９０を摺動させつつ縦枠本体５０に取り付けることにより、作業性を向上できる。
【００３０】
（４）縦枠側面部５２の見込み方向外側先端を屈曲させているので、この縦枠側面部５２の先端側の間隔をカバー側面部９２の先端側の間隔よりも小さくすることができ、縦枠本体５０に対して縦枠カバー９０を容易に取り付けることができる。また、縦枠側面部５２とカバー側面部９２との間に隙間が形成されるので、縦枠本体５０と縦枠カバー９０との摺接部分等から雨水が浸入してきたとしても、この隙間から雨水を排水し易くすることができる。
【００３１】
（５）縦枠本体５０に対向片部５３を設けている。このため、例えば縦枠側面部５２とカバー側面部９２との間から雨水が浸入してきたとしても、この雨水は、縦枠側面部５２および対向片部５３を流れることとなる。したがって、対向片部５３を設けない構成と比べて雨水の浸入経路を複雑にすることができ、被固定部７１に雨水が到達し難くすることができる。
【００３２】
（６）カバー接触部９４を介して、カバー側面部９２と縦枠側面部５２とを線接触させている。このため、カバー側面部９２と縦枠側面部５２の間で雨水等が通過することを抑制できるとともに、両者の接触面積を減らすことで取り付け時の摩擦抵抗を小さくすることができ、異音を発生させることなく容易に取り付けることができる。さらに、摩擦抵抗を小さくすることで縦枠カバー９０を摺動させ易くなり、腕木１３０が傾いたときの腕木シール材１１０に作用する力を低減させることができる。したがって、腕木シール材１１０の長寿命化を図ることができ、長期にわたり屋根面材３を確実に支持できる。また、カバー接触部９４以外の箇所ではカバー側面部９２と縦枠側面部５２との間に隙間を形成することができ、この隙間から雨水を排水し易くすることができる。
【００３３】
（７）上端キャップ１５０を縦枠本体５０に固定したときに、上端キャップ上面部１５２とカバー基部９１の上端との間に隙間Ｓ２が形成され、上端キャップ前面部１５１とカバー基部９１の外面との間に隙間Ｓ１が形成されるような構成としている。このため、縦枠カバー９０が室外側に摺動したときに上端キャップ１５０と接触することがなくなり、縦枠カバー９０の摺動によらず縦枠中空部９５に上方および室外側から雨水が浸入するのを確実に防止できる。さらに、縦枠カバー９０を縦枠本体５０に取り付けた後に、上端キャップ１５０を見込み方向から取り付けることができるので、容易にかつ効率よく上端キャップ１５０を取り付けることができる。
【００３４】
（８）下端キャップ１７０を縦枠本体５０に固定したときに、下端キャップ下面部１７１とカバー基部９１の下端との間に隙間Ｓ３が形成され、下端キャップ前面部１７４の上端とカバー基部９１の下端との間に隙間Ｓ４が形成されるような構成としている。このため、縦枠カバー９０が摺動したとしても下端キャップ１７０と接触することがなくなり、縦枠カバー９０の摺動によらず縦枠中空部９５に下方および室外側から水等が浸入するのを確実に防止できる。また、利用者に下方から縦枠中空部９５が見られることがないので、屋根面材支持装置４の意匠性を向上できる。さらに、縦枠カバー９０取付後に下端キャップ１７０を取り付けることができ、容易にかつ効率よく下端キャップ１７０を取り付けることができる。
【００３５】
（９）腕木シール材１１０を、一般的に安価でかつ成形が容易な樹脂材で形成しているので、低コスト化や製造性の向上を図ることができる。さらには、腕木シール材１１０を腕木１３０と貫通孔９３周縁との間に挟み込んでいるので、腕木シール材１１０を容易に設けることができる。
【００３６】
（１０）上端キャップ１５０と、屋根面材３との間にシーリングポケット１６０を形成している。このため、上端シール材１６５が下方に流れるのを防止することができ、上端シール材１６５の充填作業を容易に実施できる。
【００３７】
なお、本発明は、前記一実施形態に限定されるものではなく、本発明の目的を達成できる他の構成等を含み、以下に示すような変形等も本発明に含まれる。
【００３８】
例えば、腕木１３０を設けずに支持突出部７２で屋根面材３を支持するとともに、支持突出部７２と貫通孔９３の内縁との間に連結部を設け、支持突出部７２と縦枠カバー９０とを固定する構成としてもよい。このような構成の場合、支持突出部７２の基端側が変形して傾いたとしても、連結部を変形させることなく縦枠カバー９０を支持突出部７２の傾きに応じて摺動させることができる。
さらに、腕木１３０と縦枠カバー９０の貫通孔９３周縁とを溶接して、この溶接部分を本発明の連結部として機能させてもよい。
また、カバー側面部９２を縦枠側面部５２の内側に位置させてもよい。そして、縦枠側面部５２を屈曲させない構成、あるいは対向片部５３を設けなくてもよい。さらには、カバー側面部９２と縦枠側面部５２とを点接触させてもよいし、面接触させてもよい。
そして、上端キャップ１５０および下端キャップ１７０の両方、または、一方を設けなくてもよい。また、上端キャップ１５０に上端キャップ前面部１５１と対向する上端キャップ背面部を設けて、上方のみから取り付け可能な構成としてもよいし、下端キャップ１７０に同様の構成を適用して下方のみから取り付け可能な構成としてもよい。さらに、上端キャップ１５０や下端キャップ１７０を縦枠カバー９０に固定して、縦枠カバー９０の摺動とともに上端キャップ１５０などを移動させてもよい。
【００３９】
さらに、図１１に示すような構成としてもよい。すなわち、カバー側面部９２にカバー接触部９４を設けずに、カバー側面部９２と縦枠側面部５２との間に例えば樹脂製の弾性部材１８０を設け、この弾性部材１８０を介して縦枠カバー９０を縦枠本体５０に対して摺動可能にしてもよい。
そして、図１２に示すような構成としてもよい。すなわち、カバー側面部９２の延出方向先端に内方に延びた後にカバー基部９１の方向に延びるカバー延出部１９０を設けて、カバー側面コ字状部分を形成する。また、縦枠側面部５２の延出方向先端に外方に延びた後に縦枠基部５１の方向に延びる縦枠延出部２００を設けて縦枠側面コ字状部分を形成する。そして、カバー延出部１９０に設けたカバー接触部９４を縦枠側面部５２に線接触させるとともに、縦枠延出部２００に設けた縦枠接触部２０１をカバー側面部９２に線接触させて、縦枠カバー９０を縦枠本体５０に対して摺動可能にしてもよい。
また、前記実施形態では、構造物としての屋根１について説明したが、本発明の構造物は、屋根に限られるものではなく、庇でもよく、またバルコニーであってもよい。つまり、本発明の構造物本体支持装置を用いて庇、バルコニー、階段、廊下等の床部分を支持するようにしてもよい。さらに、本発明の構造物としては、外壁面２Ａから突出して片持ち状に設けられたものに限らず、対向配置された外壁２間にわたって設けられたものでもよく、その場合には、対向した外壁面に本発明の構造物本体支持装置が一対で互いに対向して設けられていてもよい。
なお、縦枠カバー９０を縦枠本体５０に対して摺動させずに隙間を介して触れずに移動可能に設けてもよい。
【００４０】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００４１】
【図１】本発明の実施形態に係る屋根を示す側面から見た縦断面図である。
【図２】前記屋根の要部を示す正面から見た縦断面図である。
【図３】前記屋根の要部を示す横断面図である。
【図４】上端キャップの構成および取付状態を示す斜視図である。
【図５】下端キャップの構成および取付状態を示す斜視図である。
【図６】縦枠本体と縦枠カバーとの取付状態を示す部分拡大断面図である。
【図７】上端キャップの取付状態を示す縦断面図である。
【図８】下端キャップの取付状態を示す縦断面図である。
【図９】腕木が傾く前の状態を示す模式図である。
【図１０】腕木が傾いた後の状態を示す模式図である。
【図１１】本発明の変形例に係る縦枠本体と縦枠カバーとの取付状態を示す部分拡大断面図である。
【図１２】本発明の他の変形例に係る縦枠本体と縦枠カバーとの取付状態を示す部分拡大断面図である。
【符号の説明】
【００４２】
１…屋根（構造物）、２…外壁、３…屋根面材（構造物本体）、４…屋根面材支持装置（構造物本体支持装置）、５０…縦枠本体、５１…縦枠基部、５２…縦枠側面部、７１…被固定部、７２…支持突出部、９０…縦枠カバー、９１…カバー基部、９２…カバー側面部、９３…貫通孔、９４…カバー接触部、９５…縦枠中空部、１１０…腕木シール材（連結部）、１３０…腕木（支持筒状部）、１５０…上端キャップ、１５１…上端キャップ前面部、１５２…上端キャップ上面部、１５５…上端キャップ側面部、１７０…下端キャップ、１７１…下端キャップ下面部、１７２…下端キャップ側面部、Ｓ１〜Ｓ３…隙間。
【図１】
0004832416.tif 000002
【図２】
0004832416.tif 000003
【図３】
0004832416.tif 000004
【図４】
0004832416.tif 000005
【図５】
0004832416.tif 000006
【図６】
0004832416.tif 000007
【図７】
0004832416.tif 000008
【図８】
0004832416.tif 000009
【図９】
0004832416.tif 000010
【図１０】
0004832416.tif 000011
【図１１】
0004832416.tif 000012
【図１２】
0004832416.tif 000013